【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
複数の指示具によりそれぞれ並行して指示される座標位置を検出する検出手段と、
検出された複数の前記座標位置の連続性と、各座標位置の指示に際して使用された前記指示具とを認識する認識手段と、
認識された前記座標位置の連続性を識別するための連続性識別情報および認識された前記指示具を識別するための指示具識別情報の少なくとも一方と、検出された前記座標位置を表すデータとを対応付けて出力する出力手段と
を含む座標入力装置。
【請求項２】
前記出力手段は、前記検出手段により検出された第１の座標位置について前記認識手段により前記指示具を認識できなかった場合であって、該第１の座標位置に対して連続性を有する第２の座標位置が前記検出手段によりすでに検出されている場合には、該第２の座標位置に対応付けられている指示具の指示具識別情報を、該第１の座標位置を表すデータにも対応付けることを特徴とする請求項１に記載の座標入力装置。
【請求項３】
２以上の指示具を用いて並行して複数の座標位置を入力可能な座標入力装置であって、
入力領域を構成するパネルと、
前記パネルの面に沿って光を投光する複数の投光手段と、
前記パネルの周縁に配設され、前記投光手段からの光を反射する反射手段と、
前記投光手段に対応して設けられ、前記反射手段からの反射光を検出する複数の検出手段と、
複数の前記検出手段により得られた反射光量分布のうち光量レベルが相対的に落ち込んだ部分を入力座標位置として決定する決定手段と、
決定された前記入力座標位置に関して、入力の連続性と、入力に使用された指示具とを判別する判別手段と、
判別された入力の連続性を表す連続性識別情報と、入力に使用された前記指示具を識別するための指示具識別情報との少なくと一方を、前記入力座標位置を表す座標データとともに出力するデータ出力手段と
を含む座標入力装置。
【請求項４】
連続して入力された複数の前記入力座標位置について同一の前記連続性識別情報を発生する発生手段をさらに含む請求項３に記載の座標入力装置。
【請求項５】
前記判別手段は、
直前に入力された入力座標位置に対して相対的に近い入力座標位置を入力の連続性があると判別する連続性判別手段を含む請求項４に記載の座標入力装置。
【請求項６】
前記判別手段は、
直前に入力された複数の入力座標位置から次の描画領域を予測する予測手段と、
予測された前記描画領域に含まれる入力座標位置を入力の連続性があると判別する連続性判別手段と
を含む請求項４に記載の座標入力装置。
【請求項７】
前記予測手段は、
直前に入力された１以上の入力座標位置から接線ベクトルを算出し、算出された該接線ベクトルと所定の関係を有する領域を次の描画領域として予測することを特徴とする請求項６に記載の座標入力装置。
【請求項８】
前記判別手段は、
前記指示具に含まれ、該指示具の指示具識別情報を送信する送信手段と、
前記パネルの面において、それぞれ異なる担当受信領域または一部重複する担当受信領域を割り当てられるとともに、前記指示具から送信される前記指示具識別情報を受信する複数の受信手段と、
前記指示具識別情報を受信した前記受信手段の担当受信領域内において検出された前記入力座標位置を、該指示具識別情報に対応付けられた前記指示具により入力されたものと決定する決定手段と
をさらに含む請求項３乃至７の何れか１項に記載の座標入力装置。
【請求項９】
２以上の指示具を用いて並行して座標位置を入力可能な座標入力装置であって、
入力領域を構成するパネルと
前記パネルの面に沿って光を投光する３以上の投光手段と、
前記パネルの周縁に配設され、前記投光手段からの光を反射する反射手段と、
前記投光手段に対応して設けられ、かつ、前記反射手段からの反射光を検出する３以上の検出手段と、
３以上の前記検出手段のそれぞれからの反射光量分布において相対的に光量レベルが落ち込んだ部分の角度を算出することで、少なくとも２点の入力座標位置を決定する決定手段と
を含むことを特徴とする座標入力装置。
【請求項１０】
前記決定手段は、
少なくとも２つの前記検出手段に係るそれぞれの反射光量分布において相対的に光量レベルが落ち込んだ部分の角度を算出することで、少なくとも４点の入力座標位置を算出する算出手段と、
残りの１以上の前記検出手段により求められた角度のデータに応じて、少なくとも４点の前記入力座標位置から虚像の位置を除き、少なくとも２点の前記入力座標位置を表す座標データを出力する出力手段と
を含む請求項９に記載の座標入力装置。
【請求項１１】
２以上の指示具を用いて並行して複数の座標位置を入力可能な座標入力装置から出力される、入力の連続性を表す連続性識別情報と、入力の際に使用された指示具を識別するための指示具識別情報との少なくとも一方と、入力座標位置を表す座標データとを入力する入力手段と、
複数の前記座標データが入力された場合に、前記連続性識別情報と前記指示具識別情報とがそれぞれ同一である座標データには、同一の描画属性を付与する付与手段と、
前記座標データと前記描画属性とに応じて描画データを出力する出力手段と
を含む描画処理装置。
【請求項１２】
出力された前記描画データに応じて表示を行なうとともに、前記座標入力装置が配設された表示装置をさらに含む請求項１１に記載の描画処理装置。
【請求項１３】
複数の指示具によりそれぞれ並行して入力される座標位置を検出する検出ステップと、
検出された複数の前記座標位置について、入力の連続性と、入力に使用された指示具とを認識する認識ステップと、
認識された前記入力の連続性を識別するための連続性識別情報および認識された前記指示具を識別するための指示具識別情報の少なくとも一方と、前記座標位置を表す座標データを出力する出力ステップと
を含む座標データ出力方法。
【請求項１４】
２以上の指示具を用いて並行して入力される複数の座標位置に係る座標データを出力する座標データ出力方法であって、
入力領域を構成するパネルの面に沿って複数の光を投光する投光ステップと、
前記パネルの周縁に配設された反射面からの複数の反射光を検出する検出ステップと、
検出された複数の前記反射光についての反射光量分布のうち相対的に光量レベルが落ち込んだ部分を入力座標位置として決定する決定ステップと、
決定された前記入力座標位置に関して、入力の連続性と、入力に使用された指示具とを判別する判別ステップと、
判別された入力の連続性を表す連続性識別情報と、入力に使用された指示具を識別するための指示具識別情報との少なくとも一方を、前記入力座標位置を表す座標データとともに出力するデータ出力ステップと
を含む座標データ出力方法。
【請求項１５】
２以上の指示具を用いて並行して入力される複数の座標位置に係る座標データを出力する座標データ出力方法であって、
入力領域を構成するパネルの面に沿って３以上の光を投光する投光ステップと、
前記パネルの周縁に配設された反射面からの３以上の反射光を検出する検出ステップと、
検出された３以上の前記反射光に係る各反射光量分布において相対的に光量レベルが落ち込んだ部分の角度を算出する算出ステップと、
算出された３以上の前記角度により、少なくとも２点の入力座標位置を決定する決定ステップと、
決定された前記２点の入力座標位置に係る座標データを出力する出力ステップと
を含むことを特徴とする座標データ出力方法。
【請求項１６】
２以上の指示具を用いて並行して複数の座標位置を入力可能な座標入力装置から出力される、入力の連続性を表す連続性識別情報と、入力に使用された指示具を識別するための指示具識別情報との少なくとも一方と、入力座標位置を表す座標データとを入力する入力ステップと、
複数の前記座標データが入力された場合に、前記連続性識別情報と前記指示具識別情報とがそれぞれ同一である座標データには、同一の描画属性を付与する付与ステップと、
前記座標データと前記描画属性とに応じて描画データを出力する出力ステップと
を含む描画処理方法。
【請求項１７】
制御回路と記憶装置とを有するコンピュータに対し、
２以上の指示具を用いて並行して複数の座標位置を入力可能な座標入力装置から送信される、入力の連続性を表す連続性識別情報、入力に使用された指示具を識別するための指示具識別情報および入力座標位置を表す座標データを受信するステップと、
受信された前記連続性識別情報、前記指示具識別情報、および前記座標データとを前記制御回路により対応付け、前記記憶装置に記憶するステップと、
複数の前記座標データが入力された場合に、前記連続性識別情報と前記指示具識別情報とがそれぞれ同一である座標データには、前記制御回路により同一の描画属性を付与し、該描画属性も前記記憶装置に記憶するステップと
前記記憶装置から前記座標データと前記描画属性とを読み出し、読み出した該座標データと該描画属性とに応じた描画データを前記制御回路により作成して出力するステップと
を実行させるコンピュータプログラム。